【事件の表示】
　特許第２９９４４３０号「画像読取装置」の請求項１ないし４に係る特許に対する特許異議の申立てについて、次のとおり決定する。
【結　論】
　訂正を認める。
　特許第２９９４４３０号の請求項１ないし３に係る特許を取り消す。
【理　由】
１　手続の経緯
　本件特許第２９９４４３０号に係る出願は、平成２年５月２４日に出願されたものであって、平成１１年１０月２２日に特許の設定登録がされ、その後その特許請求の範囲における請求項１〜４に係る発明について、異議申立人池田繁次により特許異議の申立てがなされ、取消理由通知がなされ、その指定期間内である平成１３年１月４日に訂正請求がなされたものである。
２　訂正の適否
(1)訂正の内容
　訂正事項ａ
　明細書における特許請求の範囲の請求項１〜４において、請求項３を削除し、請求項４を請求項３に繰り上げ、以下のとおりに訂正する。
「【請求項１】奇数画素信号と偶数画素信号を異なるチャンネルから出力するＣＣＤリニアイメージセンサと、
　該ＣＣＤリニアイメージセンサの出力容量部をリセットパルスでリセットしてプリチャージ部を生成するリセット手段と、
　前記出力容量部から出力される前記奇数画素信号を処理する奇数画素信号処理回路と、
　前記出力容量部から出力される前記偶数画素信号を処理する偶数画素信号処理回路と、
　前記奇数画素信号処理回路により処理される前記奇数画素信号及び前記偶数画素信号処理回路により処理される前記偶数画素信号の信号レベルをＡ／Ｄ変換手段のダイナミックレンジまで増幅する増幅手段とを備え、
　前記奇数画素信号処理回路及び前記偶数画素信号処理回路は、前記リセット手段により生成されたプリチャージ部をサンプルホールドする第１サンプルホールド手段と、前記ＣＣＤリニアイメージセンサの出力信号の信号部をサンプルホールドする第２サンプルホールド手段と、前記第１サンプルホールド手段によりサンプルホールドされた前記プリチャージ部をさらにサンプルホールドする第３サンプルホールド手段と、該第３サンプルホールド手段の出力と前記第２サンプルホールド手段の出力を差動増幅する差動増幅手段と、前記差動増幅手段の出力信号のオフセットレベルを補正する補正手段とをそれぞれが有する
ことを特徴とする画像読取装置。
【請求項２】請求項１において、前記ＣＣＤリニアイメージセンサは、２相駆動クロックパルスにより駆動されることを特徴とする画像読取装置。
【請求項３】請求項１または２において、前記差動増幅手段に接続されたローパスフィルタをさらに備えたことを特徴とする画像読取装置。」
　訂正事項ｂ
　明細書第８頁４行ないし第９頁１８行（特許公報２頁４欄３５行〜５欄８行）を特許請求範囲の訂正に対応させて以下のとおりに訂正する。　
「このような目的を達成するため、本発明は、奇数画素信号と偶数画素信号を異なるチャンネルから出力するＣＣＤリニアイメージセンサと、該ＣＣＤリニアイメージセンサの出力容量部をリセットパルスでリセットしてプリチャージ部を生成するリセット手段と、前記出力容量部から出力される前記奇数画素信号を処理する奇数画素信号処理回路と、前記出力容量部から出力される前記偶数画素信号を処理する偶数画素信号処理回路と、前記奇数画素信号処理回路により処理される前記奇数画素信号及び前記偶数画素信号処理回路により処理される前記偶数画素信号の信号レベルをＡ／Ｄ変換手段のダイナミックレンジまで増幅する増幅手段とを備え、前記奇数画素信号処理回路及び前記偶数画素信号処理回路は、前記リセット手段により生成されたプリチャージ部をサンプルホールドする第１サンプルホールド手段と、前記ＣＣＤリニアイメージセンサの出力信号の信号部をサンプルホールドする第２サンプルホールド手段と、前記第１サンプルホールド手段によりサンプルホールドされた前記プリチャージ部をさらにサンプルホールドする第３サンプルホールド手段と、該第３サンプルホールド手段の出力と前記第２サンプルホールド手段の出力を差動増幅する差動増幅手段と、前記差動増幅手段の出力信号のオフセットレベルを補正する補正手段とをそれぞれが有することを特徴とする。
[作用]本発明では、奇数画素信号処理回路及び偶数画素信号処理回路は、差動増幅手段が、リセット手段により生成されたプリチャージ部を第１サンプルホールド手段によりサンプルホールドし、ＣＣＤリニアイメージセンサの出力信号の信号部を第２サンプルホールド手段によりサンプルホールドし、第１サンプルホールド手段によりサンプルホールドされたプリチャージ部を第３サンプルホールド手段によりさらにサンプルホールドし、差動増幅手段が第３サンプルホールド手段の出力と第２サンプルホールド手段の出力を差動増幅する。」
　
(2)訂正の目的の適否、新規事項の有無、及び特許請求の範囲の拡張、変更の存否
　上記訂正事項ａは、特許請求の範囲の減縮を目的とした明細書の訂正に該当し、訂正事項ｂは、上記訂正事項ａに付随的に生じる記載不備を解消するものであって、明りょうでない記載の釈明を目的とした明細書の訂正に該当し、いずれも、新規事項の追加に該当せず、実質上特許請求の範囲を拡張し、又は変更するものではない。
(3)むすび
　したがって、上記訂正は、特許法第１２０条の４第２項、及び第３項で準用する同第１２６条第２項、第３項の規定に適合するので、当該訂正を認める。
３　特許異議の申立ての概要
　異議申立人は、甲第１号証（特開昭６３−１０３５７４号公報、以下「刊行物１」という。）及び甲第２号証（ＮＨＫエンジニアリング技術セミナー「固体撮像技術の基礎と応用」８．固体撮像素子の最近の応用（昭和６４年１月１７，１８日）、以下「刊行物２」という。）を提出し、本件請求項１、２、４に係る発明の特許は、特許法第２９条第２項の規定に、請求項３に係る発明の特許は特許法第３６条の規定にそれぞれ違反してなされたものであるから、取り消すべき旨主張している。
４　特許異議の申立てについての判断
　上記訂正により訂正前の請求項３に係る発明は削除され、特許法第３６条の規定違反は解消したので、訂正後の請求項１、請求項２及び請求項３（訂正前の請求項４）に係る発明が特許法第２９条第２項の規定に違反しているかどうかを以下検討する。
(1)本件発明
　訂正明細書の請求項１〜３に係る発明は、訂正明細書の特許請求の範囲の請求項１〜３に記載されたとおりのものである（上記２(1)訂正事項ａ参照）。
(2)引用刊行物
　当審が通知した取消しの理由に引用した刊行物１（前記甲第１号証）には、電荷転送素子の出力回路に関し、図面とともに次の事項が記載されている。
　ア「（従来技術）例えばＣＣＤ固体撮像素子の出力回路として、第３図に示すような回路が提案されている。同図例は、フレーム転送方式の例である。同図において、(1)はＣＣＤ装置であり、(2)は電荷検出信号の出力端子である。また、このＣＣＤ装置(1)において、(3)はＣＣＤ撮像デバイスであり、(4)は感光部、(5)は蓄積部、(6)は出力レジスタ、(7)は出力取出部である。（中略）蓄積部(5)に一時蓄積された信号電荷は水平の１列毎に出力レジスタ(6)に転送される。」（１頁右下欄１０行〜２頁左上欄３行）
　イ「この出力レジスタ(6)には、端子(8)，(9)より２相の水平転送パルスＨ１，Ｈ２（第４図Ａ，Ｂに図示）が供給され、信号電荷は出力取出部(7)を介して順次取り出される。」（２頁左上欄３行〜７行）
　ウ「出力取出部(7)の出力端は、コンデンサ(10)を介して接地されると共に、ＦＥＴ(11)のソースに接続され、そのドレインには直流電圧ＥＲが供給される。また、このＦＥＴ(11)のゲートには、端子(12)により水平転送パルスＨ１，Ｈ２に同期したリセットパルスＰＣ（第４図Ｃに図示）がコンデンサ(13)を介して供給される。（中略）以上の構成において、リセットパルスＰＣが高レベルである期間ＴＰには、ＦＥＴ(11)はオンとなり、コンデンサ(13)は電圧ＥＲまで充電され、リセットレベルとなる。一方リセットパルスＰＧが低レベルである期間ＴＳには、ＦＥＴ(11)はオフとなり、出力取出部(7)からの信号電荷に応じてコンデンサ(10)の両端電圧が低下する。そのため、出力端子(2)には第４図Ｄに示すような電荷検出出力電圧Ｖ０が出力される。この第４図Ｄにおいて、ＥＰはプリチャージレベルであり、このプリチャージレベルに続くレベルが信号レベルとなる。」（２頁左上欄８行〜右上欄１０行）
　エ「第３図において、出力端子(2)からの出力電圧Ｖ０は出力回路(20)を構成するサンプルホールド回路(21)に供給される。このサンプルホールド回路(21)には、タイミング発生器(30)より信号レベル期間に対応したサンプリングパルスＳＨＤ（第４図Ｅに図示）が供給されて出力電圧Ｖ０の信号レベル部分がサンプリングホールドされる。そして、そのホールド出力ＨＳ(第４図Ｇに図示)はオペアンプ(22)の反転入力端子に供給される。また、出力電圧Ｖ０はサンプルホールド回(23)に供給される。このサンプルホールド回路(23)には、タイミング発生器(30)よりプリチャージレベル期間に対応したサンプリングパルスＳＨＰ（第４図Ｆに図示）が供給されて、出力電圧Ｖ０のプリチャージレベル部分がサンプリングホールドされる。そして、そのホールド出力ＨＮＩ（第４図Ｈに図示）は、さらにサンプルホールド回路(24)に供給される。このサンプルホールド回路(24)にはタイミング発生器(30)よりサンプリングパルスＳＨＤが供給されて、ホールド出力ＨＮ１がサンプリングホールドされる。そして、そのホールド出力ＨＮ２（第４図Ｉに図示）はオペアンプ(22)の非反転入力端子に供給される。（中略）以上の構成において、出力電圧Ｖ０に第４図Ｄの波線に示すように各リセット毎に異なるレベルのリセットノイズＮＲがのっているときには、サンプルホールド回路(21),(23),(24)のホールド出力ＨＳ，ＨＮ１，ＨＮ２にも、第４図Ｇ，Ｈ，Ｉの波線に示すようにリセットノイズＮＲがのっている。したがって、ホールド出力ＨＳとＨＮ１との差をとることによりリセットノイズＮＲを除去することができる。」（２頁左下欄５行〜右下欄１９行）
　オ「第３図において、(31)はリセットパルスＰＧのドライブ回路、(32),(33)は水平転送パルスＨ１，Ｈ２のドライブ回路であり、夫々タイミング発生器(30)よりタイミングパルスが供給されてその動作が制御される。」（３頁左上欄１４行〜１８行）
　同じく当審が通知した取消しの理由に引用した刊行物２（前記甲第２号証）には、固体撮像素子に関し、図面とともに次の事項が記載されている。
　カ「３−２　補色市松システム　（中略）イメージャー出力信号ＣＤＳにより信号成分のみを抽出した後ＡＧＣアンプで所定のレベルまで増幅する過程は縦ストライプと全く同様である。２相のパルスでＳ/Ｈを行って線順次のＳ１（Ｍｇ+Ｃｙ/Ｇ+Ｃｙ），Ｓ２（Ｇ+Ｙｅ/Ｍｇ+Ｙｅ）信号を得る。残り１ｃｈのＳ/Ｈ回路を常時“ＯＮ”の状態にしてＡＧＣ出力信号が得られるので，ＬＰＦにて変調クロマ成分を除いたものに対してγ補正を行い，クロマ信号とのディレー合わせおよび３ライン型Ｖアパコン付加のために広帯域ＣＣＤ１ＨＤＬを経たものをＹＨ信号としてエンコーダへ入力する。」（１１７頁１行〜１１８頁８行）
　キ「３−３　２チップカラーカメラシステム（中略）一方Ｙ用イメージャー出力信号もＣＤＳ，ＡＧＣアンプを経てＬＰＦでクロック成分を除去した後γ補正を行う。」（１１８頁１７行〜１２０頁４行）
(3)対比・判断
（請求項１に係る発明）
　本件請求項１に係る発明と刊行物１に記載された発明とを対比すると、
　(あ)刊行物１に記載された発明におけるＣＣＤ装置１は、ＣＣＤ撮像デバイス３から出力される信号電荷（画素信号）を電圧信号に変換して電荷検出出力電圧を出力するものであり（前記ア、ウ参照）、前記電荷検出出力電圧はチャンネルから出力されることが当業者に明らかであるから、画素信号を出力するチャンネルが奇数画素信号と偶数画素信号を出力する異なるチャンネルである点、ＣＣＤイメージセンサがＣＣＤリニアイメージセンサである点は別として、「画素信号をチャンネルから出力するＣＣＤイメージセンサ」である点で、本件請求項１に係る発明の「ＣＣＤリニアイメージセンサ」と一致する。
　(い)刊行物１に記載された発明におけるＦＥＴ(11)は、リセットパルスＰＧの期間オンとなってコンデンサ(10)の電圧をリセットレベルとした後、リセットパルスＰＧが低レベルの期間オフとなって、コンデンサ(10)の電圧をプリチャージレベルとするものであり（前記ウ参照）、前記コンデンサ(10)がＣＣＤ装置１（ＣＣＤイメージセンサ）の出力容量部を構成することは、当業者に明らかであるから、「ＣＣＤイメージセンサの出力容量部をリセットパルスでリセットしてプリチャージ部を生成するリセット手段」である点で、本件請求項１に係る発明の「リセット手段」と一致する。
　(う)刊行物１に記載された出力回路(20)は、ＣＣＤ装置１のコンデンサ(10)(出力容量部)から出力される画素信号を処理するものであり、リセット手段により生成されたプリチャージ部をサンプリングホールドするサンプルホールド回路(23)と、前記ＣＣＤ装置１の信号レベル部分をサンプリングホールドするサンプルホールド回路(21)と、前記サンプルホールド回路(23)によりサンプルホールドされた前記プリチャージ部をさらにサンプリングホールドするサンプルホールド回路(24)と、該サンプルホールド回路(24)の出力と前記サンプルホールド回路(23)の出力を差動増幅するオペアンプ(22)を備えるものである（前記エ参照）から、処理回路が奇数画素信号処理回路と偶数画素信号処理回路で構成され、差動増幅手段の出力信号のオフセットレベルを補正する補正手段を有する点は別として、「出力容量部から出力される画素信号を処理する画素信号処理回路」であって、「前記画素信号処理回路は、前記リセット手段により生成されたプリチャージ部をサンプルホールドする第１サンプルホールド手段と、前記ＣＣＤリニアイメージセンサの出力信号の信号部をサンプルホールドする第２サンプルホールド手段と、前記第１サンプルホールド手段によりサンプルホールドされた前記プリチャージ部をさらにサンプルホールドする第３サンプルホールド手段と、該第３サンプルホールド手段の出力と前記第２サンプルホールド手段の出力を差動増幅する差動増幅手段」とを有するという点で、本件請求項１に係る発明の「信号処理回路」と一致する。
　（え）刊行物１に記載された発明のＣＣＤ装置１と出力回路２０とからなるＣＣＤ固体撮像装置は、その機能から見て画像読取装置ということができる（前記ア〜オ参照）から、「画像読取装置」である点で本件請求項１に係る発明と一致する。
　したがって、両者は、
「画素信号をチャンネルから出力するＣＣＤイメージセンサと、
　該ＣＣＤイメージセンサの出力容量部をリセットパルスでリセットしてプリチャージ部を生成するリセット手段と、
　前記出力容量部から出力される画素信号を処理する画素信号処理回路と、
　前記画素信号処理回路は、前記リセット手段により生成されたプリチャージ部をサンプルホールドする第１サンプルホールド手段と、前記ＣＣＤイメージセンサの出力信号の信号部をサンプルホールドする第２サンプルホールド手段と、前記第１サンプルホールド手段によりサンプルホールドされた前記プリチャージ部をさらにサンプルホールドする第３サンプルホールド手段と、該第３サンプルホールド手段の出力と前記第２サンプルホールド手段の出力を差動増幅する差動増幅手段と、を有する画像読取装置。」
である点で一致し、次の各点で相違する。
　(a)本件請求項１に係る発明は、「ＣＣＤイメージセンサ」が、「奇数画素信号と偶数画素信号を異なるチャンネルから出力するＣＣＤリニアイメージセンサ」であり、また、「画素信号処理回路」が、「奇数画素信号を処理する奇数画素信号処理回路」と、「偶数画素信号を処理する偶数画素信号処理回路」であり、さらに、「前記奇数画素信号処理回路により処理される前記奇数画素信号及び前記偶数画素信号処理回路により処理される前記偶数画素信号の信号レベルをＡ／Ｄ変換手段のダイナミックレンジまで増幅する増幅手段」を備えているのに対し、刊行物１に記載された発明は、「ＣＣＤイメージセンサ」が、奇数画素信号と偶数画素信号を異なるチャンネルから出力するＣＣＤリニアイメージセンサではなく、また、「画素信号処理回路」は奇数画素信号処理回路と偶数画素信号処理回路に分けられておらず、更に前記増幅手段も備えていない点。
　(b)本件請求項１に係る発明は、「差動増幅手段の出力信号のオフセットレベルを補正する補正手段」を備えているのに対し、刊行物１に係る発明は、このような補正手段を備えていない点。　
　そこで、前記相違点(a)について検討すると、
　奇数画素信号と偶数画素信号を異なるチャンネルから出力するＣＣＤリニアイメージセンサにおいて、奇数画素信号を処理する奇数画素信号処理回路と、偶数画素信号を処理する偶数画素信号処理回路を設けて、奇数画素信号と偶数信号画素をそれぞれ個別に処理するとともに、前記奇数画素信号処理回路により処理される前記奇数画素信号及び前記偶数画素信号処理回路により処理される前記偶数画素信号の信号レベルを増幅手段により、Ａ／Ｄ変換手段のダイナミックレンジまで増幅するようにした構成は、当業者に周知である（必要であれば、特開昭６３−１９９５７０号公報、特開昭６３−２００６７７号公報参照）から、刊行物１に記載された発明において、「ＣＣＤイメージセンサ」（ＣＣＤ装置１）を、「奇数画素信号と偶数画素信号を異なるチャンネルから出力するＣＣＤリニアイメージセンサ」とし、「画素信号処理回路」（出力回路２０）を、「奇数画素信号を処理する奇数画素信号処理回路」と「偶数画素信号を処理する偶数画素信号処理回路」とし、さらに、「前記奇数画素信号処理回路により処理される前記奇数画素信号及び前記偶数画素信号処理回路により処理される前記偶数画素信号の信号レベルをＡ／Ｄ変換手段のダイナミックレンジまで増幅する増幅手段」を設けることは、当業者が格別の創意工夫を要することなくなし得ることである。
　次に、前記相違点(b)について検討すると、
差動増幅手段の出力信号のオフセットレベルを補正する補正手段は、当業者に周知である（必要であれば、前記周知公報参照）であるから、刊行物１に記載された発明において、「差動増幅手段の出力信号のオフセットレベルを補正する補正手段」を設けることは、当業者が格別の創意工夫を要することなくなし得ることである。
　そして、本件請求項１に係る発明によって奏される効果は、刊行物１に記載された発明から当業者が容易に予測可能であって、格別のものではない。
（請求項２に係る発明）
　本件請求項２に係る発明と刊行物１に記載された発明とを対比すると、刊行物１に記載されたＣＣＤ撮像デバイス３の出力レジスタ６は、ドライブ回路３２，３３の水平転送パルスＨ１，Ｈ２により制御されるものとなっており（前記イ、オ参照）、この水平転送パルスが２相駆動クロックパルスで構成されることは当業者に明らかであるから、ＣＣＤイメージセンサが「２相駆動クロックパルスにより駆動される」という点で、請求項２に係る発明と差異がない。
　したがって、本件請求項２に係る発明は、前記本件請求項１に係る発明の項で示した一致点に加え、ＣＣＤイメージセンサが「２相駆動クロックパルスにより駆動される」という点で一致し、前記相違点(a)、(b)の点で相違するが、これらの相違点は、前記請求項１に係る発明の判断で示した理由と同じ理由により当業者が格別の創意工夫を要することなくなし得ることである。
　そして、本件請求項２に係る発明によって奏される効果は、刊行物１から当業者が容易に予測可能であって、格別のものではない。
（請求項３に係る発明）
　本件請求項３に係る発明と刊行物１に記載された発明とを対比すると、両者は、前記請求項１または２に係る発明の項で示した一致点で一致し、前記相違点(a)、(b)に加え、次の点でさらに相違する。
(c)本件請求項３に係る発明は、「差動増幅手段に接続されたローパスフイルタ」を備えているのに対し、刊行物１に記載された発明は、このようなローパスフイルタを備えていない点。
　そこで、前記相違点(a)〜(c)について検討すると、相違点(a)、(b)については、前記請求項１に係る発明の判断で示した理由と同じ理由により当業者が格別の創意工夫をを要することなくなし得ることであり、相違点(c)については、刊行物２にも記載されているように、差動増幅手段にローパスフィルタを接続して、差動増幅手段の出力に含まれるノイズ成分（変調クロマ成分、クロック成分）を除去することは、ＣＣＤ固体撮像装置において普通に採用されている技術である（前記カ、キ参照）から、刊行物１に記載された発明において、差動増幅手段（オペアンプ２２）にローパスフィルタを接続することは、当業者が格別の創意工夫を要することなくなし得ることである。
　そして、本件請求項３に係る発明によって奏される効果は、刊行物１、２から当業者が容易に予測可能な効果であって、格別のものではない。
(4)むすび
　したがって、本件訂正明細書の請求項１〜３に係る発明は、刊行物１、２に記載された発明に基いて、当業者が容易に発明をすることができたものであるから、本件訂正明細書の請求項１〜３に係る発明の特許は、特許法第２９条第２項の規定に違反してされたものであり、同法第１１３条第２号の規定に該当し、取り消すべきものである。
　よって、結論のとおり決定する。
【異議決定日】
平成１３年２月１６日（２００１．２．１６）
【訂正の要旨】
　訂正事項ａ
　明細書における特許請求の範囲の請求項１〜４において、請求項３を削除し、請求項４を請求項３に繰り上げ、以下のとおりに訂正する。
「１）奇数画素信号と偶数画素信号を異なるチャンネルから出力するＣＣＤリニアイメージセンサと、
　該ＣＣＤリニアイメージセンサの出力容量部をリセットパルスでリセットしてプリチャージ部を生成するリセット手段と、
　前記出力容量部から出力される前記奇数画素信号を処理する奇数画素信号処理回路と、
　前記出力容量部から出力される前記偶数画素信号を処理する偶数画素信号処理回路と、
　前記奇数画素信号処理回路により処理される前記奇数画素信号及び前記偶数画素信号処理回路により処理される前記偶数画素信号の信号レベルをＡ／Ｄ変換手段のダイナミックレンジまで増幅する増幅手段とを備え、
　前記奇数画素信号処理回路及び前記偶数画素信号処理回路は、前記リセット手段により生成されたプリチャージ部をサンプルホールドする第１サンプルホールド手段と、前記ＣＣＤリニアイメージセンサの出力信号の信号部をサンプルホールドする第２サンプルホールド手段と、前記第１サンプルホールド手段によりサンプルホールドされた前記プリチャージ部をさらにサンプルホールドする第３サンプルホールド手段と、該第３サンプルホールド手段の出力と前記第２サンプルホールド手段の出力を差動増幅する差動増幅手段と、前記差動増幅手段の出力信号のオフセットレベルを補正する補正手段とをそれぞれが有する
ことを特徴とする画像読取装置。
２）請求項１において、前記ＣＣＤリニアイメージセンサは、２相駆動クロックパルスにより駆動されることを特徴とする画像読取装置。
３）請求項１または２において、前記差動増幅手段に接続されたローパスフィルタをさらに備えたことを特徴とする画像読取装置。」
　訂正事項ｂ
　明細書第８頁４行ないし第９頁１８行（特許公報２頁４欄３５行〜５欄８行）を特許請求範囲の訂正に対応させて以下のとおりに訂正する。
「このような目的を達成するため、本発明は、奇数画素信号と偶数画素信号を異なるチャンネルから出力するＣＣＤリニアイメージセンサと、該ＣＣＤリニアイメージセンサの出力容量部をリセットパルスでリセットしてプリチャージ部を生成するリセット手段と、前記出力容量部から出力される前記奇数画素信号を処理する奇数画素信号処理回路と、前記出力容量部から出力される前記偶数画素信号を処理する偶数画素信号処理回路と、前記奇数画素信号処理回路により処理される前記奇数画素信号及び前記偶数画素信号処理回路により処理される前記偶数画素信号の信号レベルをＡ／Ｄ変換手段のダイナミックレンジまで増幅する増幅手段とを備え、前記奇数画素信号処理回路及び前記偶数画素信号処理回路は、前記リセット手段により生成されたプリチャージ部をサンプルホールドする第１サンプルホールド手段と、前記ＣＣＤリニアイメージセンサの出力信号の信号部をサンプルホールドする第２サンプルホールド手段と、前記第１サンプルホールド手段によりサンプルホールドされた前記プリチャージ部をさらにサンプルホールドする第３サンプルホールド手段と、該第３サンプルホールド手段の出力と前記第２サンプルホールド手段の出力を差動増幅する差動増幅手段と、前記差動増幅手段の出力信号のオフセットレベルを補正する補正手段とをそれぞれが有することを特徴とする。
［作用］本発明では、奇数画素信号処理回路及び偶数画素信号処理回路は、差動増幅手段が、リセット手段により生成されたプリチャージ部を第１サンプルホールド手段によりサンプルホールドし、ＣＣＤリニアイメージセンサの出力信号の信号部を第２サンプルホールド手段によりサンプルホールドし、第１サンプルホールド手段によりサンプルホールドされたプリチャージ部を第３サンプルホールド手段によりさらにサンプルホールドし、差動増幅手段が第３サンプルホールド手段の出力と第２サンプルホールド手段の出力を差動増幅する。」
（５４）【発明の名称】
画像読取装置
（５７）【特許請求の範囲】
１）奇数画素信号と偶数画素信号を異なるチャンネルから出力するＣＣＤリニアイメージセンサと、
　該ＣＣＤリニアイメージセンサの出力容量部をリセットパルスでリセットしてプリチャージ部を生成するリセット手段と、
　前記出力容量部から出力される前記奇数画素信号を処理する奇数画素信号処理回路と、
　前記出力容量部から出力される前記偶数画素信号を処理する偶数画素信号処理回路と、
　前記奇数画素信号処理回路により処理される前記奇数画素信号及び前記偶数画素信号処理回路により処理される前記偶数画素信号の信号レベルをＡ／Ｄ変換手段のダイナミックレンジまで増幅する増幅手段とを備え、
　前記奇数画素信号処理回路及び前記偶数画素信号処理回路は、前記リセット手段により生成されたプリチャージ部をサンプルホールドする第１サンプルホールド手段と、前記ＣＣＤリニアイメージセンサの出力信号の信号部をサンプルホールドする第２サンプルホールド手段と、前記第１サンプルホールド手段によりサンプルホールドされた前記プリチャージ部をさらにサンプルホールドする第３サンプルホールド手段と、該第３サンプルホールド手段の出力と前記第２サンプルホールド手段の出力を差動増幅する差動増幅手段と、前記差動増幅手段の出力信号のオフセットレベルを補正する補正手段とをそれぞれが有する
ことを特徴とする画像読取装置。
２）請求項１において、前記ＣＣＤリニアイメージセンサは、２相駆動クロックパルスにより駆動されることを特徴とする画像読取装置。
３）請求項１または２において、前記差動増幅手段に接続されたローパスフィルタをさらに備えたことを特徴とする画像読取装置。
【発明の詳細な説明】
［産業上の利用分野］
　本発明はＣＣＤリニアイメージセンサを有する画像読取装置に関するものである。
［従来の技術］
　第６図は従来の原稿読取装置を示す。
　図において、１００は３ラインカラーＣＣＤイメージセンサで、デュアルチャンネル型ＣＣＤイメージセンサ１０１〜１０３よりなり、奇数画素と偶数画素の電荷を別々に転送するようになっており、センサエレメント上には、Ｒ，Ｇ，Ｂの有機色分解フィルタが配置してある。１１１ａ，１１１ｂはバッファアンプ、１１２ａ，１１２ｂはイメージセンサの出力信号ＶＯＳＡ，ＶＯＳＢ中に含まれるリセットノイズを除去するためのサンプルホールド回路（Ｓ／Ｈ）、１１３ａ，１１３ｂは白板読取時の出力信号ＶＯＳＡ，ＶＯＳＢのレベルを調整する可変増幅器、１１４ａ，１１４ｂは出力信号ＶＯＳＡ，ＶＯＳＢのレベル差を補正し、所定のレベル、例えば、ＧＮＤ（＝０Ｖ）レベルにクランプするクランプアンプ、１１５ａ，１１５ｂは出力信号ＶＯＳＡ，ＶＯＳＢを増幅，クランプした信号をデジタルデータに変換するＡ／Ｄ変換器、１１６はデジタル値に変換された出力信号ＶＯＳＡ，ＶＯＳＢを１画素ごとに切り替えて本来の１ラインの読取信号に変換するセレクタ回路である。
　第７図は第６図示３ラインカラーＣＣＤイメージセンサ１００の構成を示す。
　図において、６２は受光部で、入射する光量に応じて光電変換を行うものである。この受光部６２のＣＣＤセンサエレメント上にＲ，Ｇ，Ｂの色分解フィルタをオンウェハで配設してある。６３，６４はシフトゲートで、受光部６２で蓄えられた電荷をシフトゲートパルスＳＨに応じてＣＣＤシフトレジスタ６０，６１に転送するものである。受光部６２の偶数の画素に蓄積された電荷は、各トランスファゲート６４により偶数画素用の各ＣＣＤシフトレジスタ６０に転送され、受光部６２の奇数の画素に蓄積された電荷は、各トランスファゲート６３により奇数画素用の各ＣＣＤシフトレジスタ６１に転送される。また、各ＣＣＤシフトレジスタ６０，６１は受光部６２側から送り込まれてきた電荷を出力部へＣＣＤ転送（完全転送）し、駆動クロックφ１（φ１Ａ１，φ１Ａ２，φ１Ａ３，　φ１Ａ４，φ１Ａ５，φ１Ａ６，φ１Ｂ）とφ２（φ２Ａ１，φ２Ａ２，φ２Ａ３，φ２Ａ４，φ２Ａ５，φ２Ａ６，φ２Ｂ）により２相駆動されている。６５ａ，６５ｂは出力ゲートであり、電荷を各ＣＣＤシフトレジスタ６０，６１から出力容量部６６ａ，６６ｂに送り込むものである。６６ａ，６６ｂは出力容量部で、転送されてきた電荷を電圧に変換するものである。６７ａ，６７ｂはソースフォロワアンプで、出力インピーダンスを下げ、出力信号にノイズが乗らないようにするものである。
　出力容量部６６ａ，６６ｂとソースフォロワアンプ分６７ａ，６７ｂによりＦＤＡ（Ｆｌｏａｔｉｎｇ　Ｄｉｆｆｕｓｉｏｎ　Ａｍｐｌｉｆｉｅｒ）が構成されている。
　ＯＳ１，ＯＳ２，ＯＳ３，ＯＳ４，ＯＳ５，ＯＳ６は信号出力端子、ＲＳ１，ＲＳ２はリセットパルス端子、φ１Ａ１，φ１Ａ２，φ１Ａ３，φ１Ａ４，φ１Ａ５，φ１Ａ６，φ２Ａ１，φ２Ａ２，φ２Ａ３，φ２Ａ４，φ２Ａ５，φ２Ａ６はＣＣＤシフトレジスタクロック端子、φ１Ｂ，φ２ＢはＣＣＤシフトレジスタ最終段クロック端子、ＳＨ１，ＳＨ２，ＳＨ３はシフトゲートクロック端子である。上記パルスのタイミングを第６図に示す。
　このように構成されたカラーイメージセンサ１００において、受光部６２に入射された光は光量に比例した電荷に変換され、この電荷はシフトゲートパルスＳＨによってＣＣＤシフトレジスタ６０，６１へ偶数画素，奇数画素別に別々に転送される。次に、駆動クロックφ１Ａ，φ２Ａに従って、第８図に示すタイミングで１ビットずつ出力ゲート６５ａ，６５ｂを介してＦＤＡに出力され、そのＦＤＡの出力容量部６６ａ，６６ｂにおいて電荷出力が電圧に変換され、ついで、ソースフォロワアンプ６７ａ，６７ｂおよび各出力端子ＯＳＡ，ＯＳＢを介して出力される。
　受光部６２に光を与えない状態において、偶数と奇数のＣＣＤシフトレジスタ６０，６１にかかる電位が若干違うため、出力端子ＯＳＡ，ＯＳＢから出力される暗出力レベルが異なる。
　また、出力信号ＶＯＳＡ，ＶＯＳＢを別々の処理系によって、増幅，ＤＣクランプ，Ａ／Ｄ変換の信号処理を行い、出力信号ＶＯＳＡ，ＶＯＳＢ間のレベル差を除去した後に、デジタル的に１画素ごとにマルチプレクサすることにより、読取時の１ラインの画像信号を得ている。
［発明が解決しようとする課題］
　しかしながら、従来の画像読取装置では、低雑音化のために使用されるサンプルホールド回路（Ｓ／Ｈ）の出力信号上に、ＣＣＤリニアイメージセンサに特有なリセット雑音や１／ｆ雑音が乗り、画像を形成する際に画質が低下する等の問題点があった。
　また、従来のＣＣＤリニアイメージセンサはクロック端子の負荷容量が大きいため、第９図に示すように、ＣＣＤリニアイメージセンサの出力中にプリチャージ部を得ることができず、高速駆動した場合、出力信号が鈍ってしまうという問題点があった。
　本発明の目的は、上記のような問題点を解決し、リセット雑音や１／ｆ雑音に起因する画質の低下を防止することができる画像読取装置を提供することにある。
［課題を解決するための手段］
　このような目的を達成するため、本発明は、奇数画素信号と偶数画素信号を異なるチャンネルから出力するＣＣＤリニアイメージセンサと、該ＣＣＤリニアイメージセンサの出力容量部をリセットパルスでリセットしてプリチャージ部を生成するリセット手段と、前記出力容量部から出力される前記奇数画素信号を処理する奇数画素信号処理回路と、前記出力容量部から出力される前記偶数画素信号を処理する偶数画素信号処理回路と、前記奇数画素信号処理回路により処理される前記奇数画素信号及び前記偶数画素信号処理回路により処理される前記偶数画素信号の信号レベルをＡ／Ｄ変換手段のダイナミックレンジまで増幅する増幅手段とを備え、前記奇数画素信号処理回路及び前記偶数画素信号処理回路は、前記リセット手段により生成されたプリチャージ部をサンプルホールドする第１サンプルホールド手段と、前記ＣＣＤリニアイメージセンサの出力信号の信号部をサンプルホールドする第２サンプルホールド手段と、前記第１サンプルホールド手段によりサンプルホールドされた前記プリチャージ部をさらにサンプルホールドする第３サンプルホールド手段と、該第３サンプルホールド手段の出力と前記第２サンプルホールド手段の出力を差動増幅する差動増幅手段と、前記差動増幅手段の出力信号のオフセットレベルを補正する補正手段とをそれぞれが有することを特徴とする。
［作　用］
　本発明では、奇数画素信号処理回路及び偶数画素信号処理回路は、差動増幅手段が、リセット手段により生成されたプリチャージ部を第１サンプルホールド手段によりサンプルホールドし、ＣＣＤリニアイメージセンサの出力信号の信号部を第２サンプルホールド手段によりサンプルホールドし、第１サンプルホールド手段によりサンプルホールドされたプリチャージ部を第３サンプルホールド手段によりさらにサンプルホールドし、差動増幅手段が第３サンプルホールド手段の出力と第２サンプルホールド手段の出力を差動増幅する。
［実施例］
　以下、図面を参照して本発明の実施例を詳細に説明する。
　第１図は本発明の一実施例を示す。
　図において、１００は第６図と同一部分を示す。各Ｒ、Ｇ、ＢのＣＣＤリニアイメージセンサの出力信号の処理系は、同一の回路構成をとっているので、その構成の説明をＲ−ＣＣＤリニアイメージセンサ１０１について行う。１０４ａ、１０４ｂはバッファアンプであり、各々Ｒ−ＣＣＤリニアイメージセンサ１０１の奇数画素信号ｏｓａおよび偶数画素信号ｏｓｂを受けてインピーダンス変換を行うものである。
　１０５ａ−１はＣＣＤリニアイメージセンサの出力のプリチャージ部をサンプルホールドするサンプルホールド回路（Ｓ／Ｈ）であり、１０５ａ−３はＣＣＤリニアイメージセンサの出力信号の信号部をサンプルホールドするサンプルホールド回路（Ｓ／Ｈ）である。
　ＣＣＤリニアイメージセンサの出力とサンプリングパルスの関係を第３図に示す。ここで、ＳＨＰ信号はプリチャージ部をサンプリングし、ＳＨＤ信号は信号部をサンプリングすることを示している。また、実際のリセットの幅は第３図（ａ）に示すリセット期間とプリチャージ部を合せた幅を持っている。さらに、１０５ａ−２はサンプルホールド回路で、ＣＣＤリニアイメージセンサの出力をサンプルホールド回路１０５ａ−１によってサンプルホールドした結果をさらにサンプルホールドするものである。サンプルホールド回路１０５ａ−３による信号部のサンプルホールドと同期をとるために必要な回路である。１０５ａ−４は差動増幅回路であり、サンプルホールド回路１０５ａ−２によるプリチャージ部のサンプルホールドの出力が正の入力として入力され、サンプルホールド回路１０５ａ−３による信号部のサンプルホールドの出力が負の入力として入力されている。差動増幅回路１０５ａ−４の出力はＲ−ＣＣＤリニアイメージセンサ１０１の奇数画素信号ＯＳＡのリセット雑音、１／ｆ雑音が低減化されている。また、Ｒ−ＣＣＤリニアイメージセンサ１０１の偶数画素信号ＯＳＢにおいても、同様の信号処理が行われ、サンプルホールド回路１０５ｂ−４によりリセット雑音、１／ｆ雑音が低減化された出力が得られる。１０６ａ、１０６ｂは補正手段としてのクランプアンプで、各々、増幅器１０６ａ−１、１０６ｂ−１とクランプ回路１０６ａ−２、１０６ｂ−２により構成されている。クランプアンプ１０６ａは信号処理回路１０５によりリセット雑音、１／ｆ雑音が低減化された奇数画素信号のＤＣオフセットレベルを基準レベルＶｒｅｆ１（＝０）にクランプし、クランプアンプ１０６ｂは信号処理回路１０５でリセット雑音、１／ｆ雑音が低減化された偶数画素信号のＤＣオフセットレベルを基準レベルＶｒｅｆ２（＝０）にクランプするものである。１０７は合成手段としてのマルチプレクサであり、クランプアンプ１０６ａ、１０６ｂからの奇数画素信号と偶数画素信号とを順次切り変えて、第７図に示すＲ−ＣＣＤリニアイメージセンサの受光部６２の画素配列順にシリアル画素信号を得るものである。１０８は可変増幅手段としての可変増幅器であり、マルチプレクサ１０７によって時系列的に出力されるシリアル画素信号の出力レベルをＡ／Ｄ変換器１１０のダイナミックレンジまで増幅するものである。１０９はクランプアンプで、可変増幅器１０８により、Ａ／Ｄ変換器１１０のダイナミックレンジまで増幅されたシリアル画素信号のＤＣオフセットレベルをＶｒｅｆ３（＝０）にクランプするものである。Ａ／Ｄ変換器１１０はクランプアンプ１０９でＤＣオフセット補正されたシリアル画素信号であるアナログ画素信号をデジタル信号に変換するものである。
　本実施例では、ＣＣＤリニアイメージセンサのリセットパルスの幅を第２図に示すように、二相駆動のＣＣＤリニアイメージセンサの駆動パルス幅と同等程度にして第３図のＣＣＤリニアイメージセンサの出力とサンプリングパルスの関係に示すようなプリチャージ部、すなわち、ＣＣＤリニアイメージセンサのリセットレベルを生じさせた。また、第３図に示すようなタイミングで、ＣＣＤリニアイメージセンサの出力信号のプリチャージ部をサンプリングパルスＳＨＰで、信号部をサンプリングパルスＳＨＤでサンプリングを行い、サンプルホールドされた信号を差動増幅器により差動増幅するようにした。よって、ＣＣＤリニアイメージセンサの各画素ごとの信号のリセット雑音、１／ｆ雑音が低減化され、ＣＣＤシフトレジスタ上に得ることのできる奇数、偶数画素信号の雑音を低減することができる。
　第４図は、本発明の他の実施例を示す。
　本実施例は一実施例との比較でいえば、信号処理回路１０５による信号処理後の信号処理が相違する。すなわち、一実施例では、信号処理回路１０５によりリセット雑音、１／ｆ雑音が低減された奇数画素信号のＤＣオフセットレベルをクランプアンプ１０６ａにより基準レベルＶｒｅｆ１（＝０）にクランプし、信号処理回路１０５によりリセット雑音、１／ｆ雑音が低減化された偶数画素信号のＤＣオフセットレベルをクランプアンプ１０６ｂにより基準レベルＶｒｅｆ２（＝０）にクランプするようにした。一方、本実施例では、信号処理回路１０５によりリセット雑音、１／ｆ雑音が低減化された奇数画素信号と偶数画素信号をローパスフィルタ１０７に通してサンプリングパルスに同期して生じるクロックリークを除去し、その後、奇数画素信号のＤＣオフセットレベルをクランプアンプ１０６ａにより基準レベルＶｒｅｆ１にクランプし、偶数画素信号のＤＣオフセットレベルをクランプアンプ１０６ｂにより基準レベルＶｒｅｆ２にクランプするようにした。ローパスフィルタ１０７はゲインが第５図に示すようにサンプリング周波数ｆｐで「０」となる。
　本実施例では、このように構成したので、一実施例に比べてより低雑音化を計ることができる。
［発明の効果］
　以上に説明したように、本発明によれば、上記のように構成したので、ＣＣＤリニアイメージセンサの出力に乗る雑音成分を低減化することができ、このような雑音に起因する画質の低下を防止することができるという効果がある。
【図面の簡単な説明】
　第１図は本発明の一実施例を示すブロック図、
　第２図は第１図示各部のタイミングの一例を示すタイミングチャート、
　第３図はＣＣＤリニアイメージセンサの出力とサンプリングパルスの関係を示す図、
　第４図は本発明他の実施例を示すブロック図、
　第５図は第４図示ローパスフィルタ１１７の特性を示す図、
　第６図は従来の画像読取装置の構成を示すブロック図、
　第７図はＣＣＤリニアイメージセンサの構成の一例を示すブロック図、
　第８図は第６図示各部のタイミングの一例を示すタイミングチャート、
　第９図は第６図示ＣＣＤリニアイメージセンサの出力とサンプリングパルスの関係を示す図である。
１００…３ラインカラーＣＣＤイメージセンサ、
１０１〜１０３…Ｒ、Ｇ、Ｂの各ラインセンサ部、
１０４ａ、１０６ｂ…バッファアンプ、
１０５ａ−１〜１０５ａ−３…Ｓ／Ｈ回路、
１０５ｂ−１〜１０５ｂ−３…Ｓ／Ｈ回路、
１０５ａ−４〜１０５ｂ−４…差動増幅器、
１０６ａ、１０６ｂ…クランプアンプ、
１０６ａ−１〜１０６ｂ−１…増幅器、
１０６ａ−２〜１０６ｂ−２…クランプ回路、
１０７…マルチプレクサ、
１０８…可変増幅器、
１０９…クランプアンプ、
１０９ａ…増幅器、
１０９ｂ…クランプ回路、
１１０…Ａ／Ｄ変換器、
１１７…ローパスフィルタ。